【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
第１の画像を第１の表示装置に送信する方法であって、
シーンを表す第２の画像を受信することであって、前記シーンが、第３の画像を表示する第２の表示装置を含むことと、
前記第２の表示装置に表示された前記第３の画像のソースコンテンツを受信することと、
前記シーンに対する前記第２の表示装置の姿勢を表す情報に従って前記第２の画像と前記第３の画像の前記ソースコンテンツとを組み合わせることによって、前記第１の画像を生成することと、
前記第１の画像を表すデータを送信することと、
を含む方法。
【請求項２】
前記第３の画像の前記ソースコンテンツが、前記第２の表示装置におけるスクリーンの表現を含む前記第２の画像の一部の上に重ねられる、請求項１に記載の方法。
【請求項３】
前記第２の画像が、前記第１の表示装置に関連するカメラから受信される、請求項１又は２に記載の方法。
【請求項４】
前記第３の画像の前記ソースコンテンツが、前記第２の表示装置に表示するために前記第２の表示装置に前記第３の画像を送信するソース装置から受信される、請求項１〜３のいずれか一項に記載の方法。
【請求項５】
前記情報が、前記第３の画像を表示する前記第２の表示装置を含む前記第２の画像のコンテンツと、前記第３の画像の前記ソースコンテンツとを比較することによって取得される、請求項１〜４のいずれか一項に記載の方法。
【請求項６】
前記第１の表示装置が、ヘッドマウントディスプレイであり、前記第２の表示装置が、表示スクリーンを含むモバイル装置である、請求項１〜５のいずれか一項に記載の方法。
【請求項７】
前記第１の表示装置が、表示スクリーンを含むモバイル装置であり、前記第２の表示装置が、テレビジョンセットのスクリーンである、請求項１〜５のいずれか一項に記載の方法。
【請求項８】
前記第１の画像を生成する前に、前記情報に従って、前記第３の画像の前記ソースコンテンツを歪ませることを更に含む、請求項１〜７のいずれか一項に記載の方法。
【請求項９】
第１の画像を第１の表示装置に送信するように構成される装置であって、
第３の画像を表示する第２の表示装置を含むシーンを表す第２の画像を受信するように、且つ前記第３の画像のソースコンテンツを受信するように構成される受信機と、
プロセッサであって、
前記シーンに対する前記第２の表示装置の姿勢を表す情報に従って、前記第２の画像及び前記第３の画像のソースコンテンツを組み合わせることによって、前記第１の画像を生成するように構成されるプロセッサと、
前記第１の画像を表すデータを送信するように構成される送信機と、
を含む装置。
【請求項１０】
前記プロセッサが、前記第２の表示装置におけるスクリーンの表現を含む前記第２の画像の一部の上に前記第３の画像のソースコンテンツを重ねるように更に構成される、請求項９に記載の装置。
【請求項１１】
前記第２の画像が、前記第１の表示装置に関連するカメラから受信される、請求項９又は１０に記載の装置。
【請求項１２】
前記第３の画像の前記ソースコンテンツが、前記第２の表示装置に表示するために前記第３の画像を前記第２の表示装置に送信するソース装置から受信される、請求項９〜１１のいずれか一項に記載の装置。
【請求項１３】
前記第１の情報が、前記第３の画像を表示する前記第２の表示装置を含む前記第２の画像のコンテンツと、前記第３の画像の前記ソースコンテンツとを比較することによって取得される、請求項９〜１２のいずれか一項に記載の装置。
【請求項１４】
前記第１の表示装置が、ヘッドマウントディスプレイであり、前記第２の表示装置が、表示スクリーンを含むモバイル装置である、請求項９〜１２のいずれか一項に記載の装置。
【請求項１５】
前記第１の表示装置が、表示スクリーンを含むモバイル装置であり、前記第２の表示装置が、テレビジョンセットのスクリーンである、請求項９〜１２のいずれか一項に記載の装置。
【請求項１６】
前記プロセッサが、前記第１の画像を生成する前に、前記情報に従って、前記第３の画像の前記ソースコンテンツを歪ませるように更に構成される、請求項９〜１５のいずれか一項に記載の装置。
【手続補正２】
【補正対象書類名】明細書
【補正対象項目名】００８９
【補正方法】変更
【補正の内容】
【００８９】
多数の実装形態が説明された。しかしながら、様々な修正が行われ得ることが理解されよう。例えば、相異なる実装形態の要素は、他の実装形態を生成するために、組み合わされるか、補足されるか、修正されるか、又は除去されてもよい。加えて、当業者は、他の構造及びプロセスが、説明された構造及びプロセスの代わりにされてもよく、結果としての実装形態が、開示された実装形態と少なくともほぼ同じ結果を達成するために、少なくともほぼ同じ手法で、少なくともほぼ機能を実行することを理解されよう。従って、これらや他の実装形態は、本出願によって考えられている。
（付記１）
第１の画像（２７１）を第１の表示装置に送信する方法であって、
シーンを表す第２の画像（１２）を受信することであって、前記シーンが、第３の画像（２２０）を表示する第２の表示装置（１３０）を含むことと、
前記第３の画像（２２０）を受信することと、
前記シーンに対する前記第２の表示装置（１３０）の姿勢を表す第１の情報を取得することと、
前記第１の情報に従って前記第３の画像を歪ませることと、
前記取得された第１の情報を用いて、第２の画像（１２）と前記歪められた第３の画像とを組み合わせることによって、前記第１の画像を生成することと、
前記第１の画像を表すデータを送信することと、
を含む方法。
（付記２）
前記歪められた第３の画像が、前記第２の表示装置におけるスクリーンの表現を含む前記第２の画像の一部の上に重ねられる、付記１に記載の方法。
（付記３）
前記第２の画像が、前記第１の表示装置に関連するカメラから受信される、付記１又は２に記載の方法。
（付記４）
前記第３の画像が、前記第２の表示装置に表示するために前記第２の表示装置に前記第３の画像を送信するソース装置から受信される、付記１〜３のいずれか一項に記載の方法。
（付記５）
前記第１の情報が、前記第３の画像を表示する前記第２の表示装置を含む前記第２の画像のコンテンツと、前記受信された第３の画像とを比較することによって取得される、付記１〜４のいずれか一項に記載の方法。
（付記６）
前記第１の表示装置が、ヘッドマウントディスプレイであり、前記第２の表示装置が、表示スクリーンを含むモバイル装置である、付記１〜５のいずれか一項に記載の方法。
（付記７）
前記第１の表示装置が、表示スクリーンを含むモバイル装置であり、前記第２の表示装置が、テレビジョンセットのスクリーンである、付記１〜５のいずれか一項に記載の方法。
（付記８）
第１の画像を第１の表示装置に送信するように構成される装置であって、
第３の画像を表示する第２の表示装置を含むシーンを表す第２の画像を受信するように、且つ前記第３の画像を受信するように構成される受信機と、
プロセッサであって、
前記シーンに対する前記第２の表示装置の姿勢を表す第１の情報を取得するように、
前記第１の情報に従って前記第３の画像を歪ませるように、
前記第１の情報を用いて、前記第２の画像及び前記歪められた第３の画像を組み合わせることによって、前記第１の画像を生成するように構成されるプロセッサと、
前記第１の画像を表すデータを送信するように構成される送信機と、
を含む装置。
（付記９）
前記プロセッサが、前記第２の表示装置におけるスクリーンの表現を含む前記第２の画像の一部の上に前記歪められた第３の画像を重ねるように更に構成される、付記８に記載の装置。
（付記１０）
前記第２の画像が、前記第１の表示装置に関連するカメラから受信される、付記８又は９に記載の装置。
（付記１１）
前記第３の画像が、前記第２の表示装置に表示するために前記第３の画像を前記第２の表示装置に送信するソース装置から受信される、付記８〜１０のいずれか一項に記載の装置。
（付記１２）
前記第１の情報が、前記第３の画像を表示する前記第２の表示装置を含む前記第２の画像のコンテンツと、前記受信された第３の画像とを比較することによって取得される、付記８〜１１のいずれか一項に記載の装置。
（付記１３）
前記第１の表示装置が、ヘッドマウントディスプレイであり、前記第２の表示装置が、表示スクリーンを含むモバイル装置である、付記８〜１３のいずれか一項に記載の装置。
（付記１４）
前記第１の表示装置が、表示スクリーンを含むモバイル装置であり、前記第２の表示装置が、テレビジョンセットのスクリーンである、付記８〜１３のいずれか一項に記載の装置。